(57)【要約】      （修正有）【課題】使用者の背部の大きさ形状に基づき被覆角度及び形状を自動調節して、良好な快適性を生む椅子の背もたれを提供する。【解決手段】一種の椅子の背もたれは主に、シートクッションの一方側に一つの直立した背もたれサポートフレームを設置し、該背もたれサポートフレーム上には横方向に二つが対応するサポート体を設け、二つの弾性撓曲変形する固定体は、その中段部位が適当に可動して該背もたれサポートフレームのサポート体上に結合することが可能で、且つ、二つの固定体の周辺エッジは対称形状を持つ背もたれ後方中央に結合し、二つの該背もたれは外力作用に従い固定体（背もたれサポートフレームのサポート体）を支点として可動調節でき、異なる被覆サポート効果を生じさせる。【選択図】図１
0003142178.tif 000002
【実用新案登録請求の範囲】
【請求項１】
椅子の背もたれにおいて最低含まれる、
一つの背もたれサポートフレームは、一つのシートクッションの一方側に直立結合し、該背もたれサポートフレーム上には横方向に二つが相対するサポート体を設け、
二つの背もたれは、対称形状を成し、
二つの固定体は、弾性撓曲変形特性を有し、
二つの該固定体は、それぞれの周囲エッジを前記背もたれの後方に結合し、中段部位が適当に可動して該背もたれサポートフレームの前記サポート体上に結合することを特徴とする椅子の背もたれ。
【請求項２】
前記背もたれサポートフレームのサポート体の中央には、一つのサポート体ネジ孔を貫設し、
また該固定体の相対部位には、一つの中央貫通孔を設け、
一つの固定体ボルトによって該中央貫通孔を貫通させ、
並びに、該サポート体ネジ孔内に螺入すると、該固定体は、該背もたれサポートフレームの前記サポート体に結合することを特徴とする請求項１記載の椅子の背もたれ。
【請求項３】
前記背もたれサポートフレームの前記サポート体の前記ネジ孔の周囲エッジには、一つの多角凸部を設け、
該固定体の該中央貫通孔に対応する周囲エッジには、一つの同形状の多角形開口を設け、
該多角形開口が多角凸部に嵌合することにより、該背もたれと背もたれサポートフレームとが定位することを特徴とする請求項２記載の椅子の背もたれ。
【請求項４】
前記固定体の周囲エッジには、複数の側孔を設け複数の背もたれボルトを貫通させ、前記背もたれの背面に対応設置した背もたれネジ孔内に螺入することにより結合することを特徴とする請求項１記載の椅子の背もたれ。
【考案の詳細な説明】
【技術分野】
【０００１】
本考案は、椅子の背もたれに関するものであり、特に、異なる背部形状に基づき被覆位置を調節することのできる背もたれ構造である。
【背景技術】
【０００２】
公知の椅子の背もたれの多くは一体成形である故、それは、ある特定の人達や大部分の使用者の背部形状に対して適当な形状設計を施しており、前記の人達の使用希望を満足させるものである。
【考案の開示】
【考案が解決しようとする課題】
【０００３】
しかし、使用者の体型や身体の差異により、その背部形状は明らかに異なり、前述の伝統的で一般的な単一の椅子の背もたれ構造は、実際には異なる体型の使用者の応用要求を満足させるのが難しく、往々にして背もたれ時の快適性に影響し、実際応用上の欠点となっている。
【０００４】
公知の椅子の背もたれには上述の欠点が存在することに鑑み、考案者はこれらの欠点を改善すべく研究を進め、ついに本考案の誕生となった。
【課題を解決するための手段】
【０００５】
本考案の主な目的は、一種の椅子の背もたれを提供することにあり、それは、使用者の背部の大きさ形状に基づき被覆角度及び形状を自動調節して、良好な快適性を生むものである。
【０００６】
本考案が上述目的及び効果を達成する為に採用する技術手段において、一つの背もたれサポートフレームは、一つのシートクッションの一方側に直立結合し、該背もたれサポートフレーム上には横方向に二つが対応するサポート体を設ける。二つの背もたれは、対称形状を成す。二つの固定体は弾性撓曲変形の特性を備えている故、該二つの固定体のそれぞれの周辺エッジは背もたれ後方に結合し、中段部位は適当に可動して該背もたれサポートフレームのサポート体上に結合される。
【０００７】
本考案の詳細構造、応用原理、作用と効果については、添付図面における説明を参照すると完全な理解を得ることができる。
【考案の効果】
【０００８】
本考案の椅子の背もたれは、使用者の背部の大きさ形状に基づき被覆角度及び形状を自動調節して、良好な快適性を生むことを特徴とする。
【考案を実施するための最良の形態】
【０００９】
図１は本考案の構造分解図であり、それに図２、図３の全体組立図及び組立部位分断面図を参照すると、本考案が次の通りであることがはっきり理解できる。それは主に、背もたれサポートフレーム１と、固定体２と、背もたれ３等との部分より構成され、その内の該背もたれサポートフレーム１は底部において一つの下体部１１を横方向に設けており、これを椅子のシートクッション４の一方側に結合すると、該背もたれサポートフレーム１は直立状で該シートクッション４のエッジに設置され、また、背もたれサポートフレーム１の上方には、横方向に二つが対応するサポート体１２を設け、各サポート体１２には一つの多角凸部１２１を設け、且つ該多角凸部１２１中央には一つのネジ孔（サポート体ネジ孔）１２２を貫設し、二つの固定体２は、弾性を備えた材質により作製された棒状体であり、その中段横方向に一つの中央貫通孔２２を設け、且つ、該中央貫通孔２２の一端側には多角形開口２４を設けてある故、該多角形開口２４を背もたれサポートフレーム１の多角凸部１２１に嵌合することができる。また、一つの固定体ボルト２３を該中央貫通孔２２に貫通し、該ネジ孔１２２内に螺入すると、該固定体２は該背もたれサポートフレーム１のサポート体１２上に結合される。固定体２の外端部または周囲エッジには複数の側孔２１を設けてあり、二つの背もたれ３は対称的な形状を成し、その背面に設けた複数のネジ孔（背もたれネジ孔）３１はそれぞれ固定体２の側孔２１に対応しており、複数の背もたれボルト２１１は該側孔２１に貫通し背もたれ３上のネジ孔３１内に螺入することにより、該背もたれ３と固定体２とを結合する。
【００１０】
図４は本考案の背もたれ調節作動図であり、該図に示す通り、外力（例えば、使用者による背部密着）作用が二つの背もたれ３に及ぼされた場合、各背もたれ３は固定体２によって背もたれサポートフレーム１のサポート体１２上に設置され、該固定体２が力を受けて弾性撓曲変形する特性によって、各背もたれ３は使用者の背部形状に合わせて被覆位置及び角度を調節し、該使用者の背部に最良の密着を形成し、良好なサポート快適性を生じさせる。
【００１１】
上述でわかる通り、本考案の椅子の背もたれは確実に被覆位置を自動調節し、全体の快適性効果を高め、産業上の利用性、新規性、進歩性を備えるものである。
【図面の簡単な説明】
【００１２】
【図１】本考案の構造分解図である。
【図２】本考案の全体組立図である。
【図３】本考案の組立部位断面図である。
【図４】本考案の背もたれ調節作動図である。
【符号の説明】
【００１３】
１        背もたれサポートフレーム
１１      下体部
１２      サポート体
１２１    多角凸部
１２２    ネジ孔（サポート体ネジ孔）
２        固定体
２１      側孔
２１１    背もたれボルト
２２      中央貫通孔
２３      固定体ボルト
２４      多角形開口
３        背もたれ
３１      ネジ孔（背もたれネジ孔）
４        シートクッション
【図１】
0003142178.tif 000003
【図２】
0003142178.tif 000004
【図３】
0003142178.tif 000005
【図４】
0003142178.tif 000006